(57)【要約】      （修正有）【課題】特に防水性及び通気性に優れた防水通気ソックスを提供する。【解決手段】袋状を呈し、足を覆うための柔らかい布である靴下内層１０と、袋状を呈し、足を覆うための靴下内層の一側に付着される防水通気層２０とを有することを特徴とし、靴下内層によって汗を吸収すると共に、防水通気層によって外部の水の浸入を防ぎ、湿気も排出できるので、ソックスの履き心地を向上させることができる。また、上端の履き口の近傍に伸縮可能なしわ部３１が設けられ、足首或いはふくらはぎを締め付けて、ソックスのずり落ちを防ぐことができる。【選択図】図１
0003187388.tif 000002
【実用新案登録請求の範囲】
【請求項１】
袋状を呈し、足を覆うための柔らかい布である靴下内層と、
袋状を呈し、足を覆うための靴下内層の一側に付着される防水通気層とを有することを特徴とする防水通気ソックス。
【請求項２】
前記防水通気層における靴下内層と反対する側に、柔らかい布である靴下外層が設けられることを特徴とする請求項１に記載の防水通気ソックス。
【請求項３】
前記靴下内層、防水通気層、靴下外層における上端の履き口の近傍にしわ部が設けられることを特徴とする請求項２に記載の防水通気ソックス。
【考案の詳細な説明】
【技術分野】
【０００１】
本考案は、特に防水性及び通気性に優れたソックスに関するものである。
【背景技術】
【０００２】
図３に示すように、既存のソックス５０は、汗の吸収可能な布からなり、足首と接触するところにしわ部５１が設けられることから、足首を締め付けてソックスのずり落ちを防ぐと共に、ソックスのデザイン性も向上させた。
【考案の概要】
【考案が解決しようとする課題】
【０００３】
しかしながら、既存のソックスは、汗を吸収することはできるが、通気性に劣り、特に運動後に汗を沢山かくと、ソックスの内部に溜まった湿気を排出することができないことから、汗によりソックスが濡れてしまい、履き心地が悪くなり、さらに、既存のソックスは、防水効果が付いていないので、雨の日には雨水で濡れてしまい、履き心地が悪い上に、水虫など皮膚の病気にもなりやすいという問題があった。
【課題を解決するための手段】
【０００４】
上述した問題を解決するために、本考案に係る防水通気ソックスは、袋状を呈し、足を覆うための柔らかい布である靴下内層と、袋状を呈し、足を覆うための靴下内層の一側に付着される防水通気層とを有するものを提供する。
【０００５】
かかる防水通気ソックスにおいて、前記防水通気層における靴下内層と反対する側に、柔らかい布である靴下外層が設けられることが好ましい。
【０００６】
かかる防水通気ソックスにおいて、前記靴下内層、防水通気層、靴下外層における上端の履き口の近傍にしわ部が設けられることが好ましい。
【考案の効果】
【０００７】
上述した構造によれば、本考案に係る防水通気ソックスは、靴下内層によって汗を吸収すると共に、防水通気層によって外部の水の浸入を防ぎ、湿気も排出できるので、ソックスの履き心地を向上させることができる。
【０００８】
また、靴下内層、防水通気層、靴下外層の上端の履き口の近傍に伸縮可能なしわ部が設けられることから、足首或いはふくらはぎを締め付けて、ソックスのずり落ちを防ぐことができる。
【図面の簡単な説明】
【０００９】
【図１】本考案に係る防水通気ソックスの部分断面斜視図である。
【図２】本考案に係る防水通気ソックスの製造方法の流れ図である。
【図３】既存のソックスの部分断面斜視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１に示すように、本考案に係る防水通気ソックスは、靴下内層１０と、防水通気層２０と、靴下外層３０とを有し、その内、該靴下内層１０は、編み地や不織布などの柔らかい布からなり、足に合った袋状を呈し、この構成によれば伸縮性を備え、水を吸収し、足を暖かく保ち、衝撃を緩和するなどの機能を有する。
【００１２】
また、前記靴下内層１０の上端の履き口の近傍に伸縮可能なしわ部が設けられてもよく、このしわ部３１によって、足首或いはふくらはぎを締め付けて、ソックスのずり落ちを防ぎ、さらに、靴下内層１０に織目や花柄などの模様が付けられているので、そのような工夫により、ソックスの内面も綺麗に見える。
【００１３】
前記防水通気層２０は、足に合った袋状を呈し、靴下内層１０の一側に付着され、良好の防水性及び通気性を備える樹脂、例えば、ＰＵ（ポリウレタン）や、ＮＲ（天然ゴム）、ＮＢＲ（ニトリルゴム）、ネオプレン（クロロプレンゴム）、ＰＶＡ（ポリビニルアルコール）、Ｖｉｔｏｎ（バイトン）、ＰＶＣ（ポリ塩化ビニル）などの素材からなる。尚、該防水通気層２０は、ソックスがずり落ちないよう、足首或いはふくらはぎを締め付けるために、上端の履き口の近傍にしわ部を設けてもよい。
【００１４】
前記防水通気層２０の素材について、ＰＵは通気性及び防水性に優れ、ＮＲは耐磨耗性、耐酸、耐アルカリに優れ、ＮＢＲは耐磨耗性及び耐切創性に優れ、ネオプレンは耐候性及び耐海水性に優れ、ＰＶＡは耐磨耗性、耐切創性、耐有機溶剤性に優れ、Ｖｉｔｏｎは耐酸、耐アルカリ、耐薬品性に優れ、ＰＶＣは印刷や着色しやすいと共に、低コストのメリットもある。尚、使用者の需要に応じて、或いは製品の特性に応じて、適当な素材に自由に変更しても構わない。
【００１５】
前記靴下外層３０は、防水通気層２０における靴下内層１０と反対する側に設けられ、編み地または不織布など柔らかい布からなる、足に合った袋状を呈し、上端の履き口の近傍に伸縮可能なしわ部３１が設けられ、足首或いはふくらはぎを締め付けて、ソックスのずり落ちを防ぐ。また、この構成によれば、該靴下外層３０に織目や花柄などの模様が付けられるので、ソックスのデザイン性を向上させることができる。
【００１６】
また、本考案に係る防水通気ソックスは、靴下外層３０を設置せずに、靴下内層１０及び防水通気層２０のみ設置してもよく、薄手で無地のソックスができる。
【００１７】
本考案に係る防水通気ソックスは、靴下内層１０が水を吸収できると共に、防水通気層２０が防水性及び通気性に優れていることから、ソックスを使用しているとき、靴下内層１０によって汗を吸収しやすいと共に、防水通気層２０を介して湿気を外部に排出することができる。
【００１８】
一方、雨の日には、防水通気層２０によって、ソックスが濡れるのを防ぐので、爽やかな履き心地を提供でき、さらに、靴下外層３０または靴下内層１０には、織目や花柄などの模様を有するので、ソックスのデザイン性を向上させることができる。
【００１９】
以下、図２に示すように、本考案に係る防水通気ソックスの製造方法について説明する。
１．鋳型の用意：様々な足の形状に合った、サイズの異なる鋳型を複数用意し、且つ鋳型の表面に模様が設けられる。
２．防水通気層の付着加工：鋳型をＰＵや、ＮＲ、ＮＢＲ、ネオプレン、ＰＶＡ、Ｖｉｔｏｎ、ＰＶＣなどの液体樹脂に浸して鋳型の表面に付着させる。
３．樹脂の乾燥：樹脂が乾燥すると、鋳型の表面に薄い膜状の防水通気層が完成する。この防水通気層は、防水性及び通気性を備えると共に、素材の特性によって耐磨耗性や、耐酸、耐アルカリなどの特性を備え、また、この防水通気層に鋳型上の模様と同じの模様が現れる。
４．靴下内層の付着加工：粘着剤により、靴下内層を防水通気層に付着させれば半製品の完成であり、その際、靴下内層に該防水通気層の模様と同様の模様が現れる。
５．一回目の離型：半製品が鋳型から外して裏返す。つまり、靴下内層を内側に、防水通気層を外側にする。
６．鋳型に半製品を被せ：靴下内層を内側に、防水通気層を外側にした半製品を鋳型に被せる。
７．靴下外層の付着加工：粘着剤により、靴下外層を防水通気層の表面に付着させる。その際、靴下外層に防水通気層の模様と同様の模様が現れる。
８．二回目の離型：靴下外層、防水通気層、靴下内層が一体になると、鋳型から取り外して完成となる。
【００２０】
本考案に係る防水通気ソックスは、鋳型を用いるだけで製造することができ、且つ鋳型の表面に模様を設ければ、製品上にも同様の模様を形成できるので、ソックスのデザイン性を向上させることができる。
【００２１】
一方、本考案に係る靴下外層３０を設けない場合には、上述したステップにおいて、一回目の離型まで行えばよく、これによれば、薄手で無地のソックスができる。
【符号の説明】
【００２２】
１０  靴下内層
２０  防水通気層
３０  靴下外層
３１  しわ部
５０  ソックス
５１  しわ部
【図１】
0003187388.tif 000003
【図２】
0003187388.tif 000004
【図３】
0003187388.tif 000005